(57)【要約】      （修正有）【課題】分析器の機能へのアクセス制御を提供するコンピュータを利用する方法を提供する。【解決手段】ａ）第１データ入力端末の位置が、分析器の物理的操作（ＰＯ）領域内にあるかを判定する判定工程とを備え、ｂ．１）第１データ入力端末がＰＯ領域内にあると判定された場合は、第１データ入力端末のディスプレイ上に、ユーザが起動可能な位置検出（ＰＳ）ＧＵＩエレメントを表示し、起動可能なＰＳ ＧＵＩエレメントが、起動されると、分析器の機能の実行をトリガーするように構成され、機能の実行は、分析器による物理的な動作の実行を含むことを特徴とし、ｂ．２）そうでない場合は、ユーザが起動可能なＰＳ ＧＵＩエレメントの表示を禁止するか、または機能を示す、起動不可能なＰＳ ＧＵＩエレメントを表示する。【選択図】図１
2013183456.tif 000002
【特許請求の範囲】
【請求項１】
分析器（２０２、２１２、３１５〜３１７）の機能へのアクセス制御を提供するコンピュータを利用する方法であって、該方法が、
ディスプレイ（２０８、３０６〜３０８）を備えた第１データ入力端末（２０１、２１０、２１３、３０１〜３０３）から、ユーザを認証するユーザ（２０９）のログインデータを受信する受信工程（１０１）と、
前記第１データ入力端末の位置を記述する情報を取得する工程（１０２）と、
ａ）第１データ入力端末の位置が、前記分析器の物理的操作（ＰＯ）領域（２２０〜２２３、３１３、３１４）内にあるかを判定する判定工程（１０３）とを備え、
ｂ．１）前記第１データ入力端末が前記ＰＯ領域内にあると判定された場合は、
前記第１データ入力端末のディスプレイ上に、ユーザが起動可能な位置検出（ＰＳ）ＧＵＩエレメント（３２０．１、３２１．１、３２２．２、３２３．２、３２４．２、４０８）を表示し（１０４）、前記起動可能なＰＳ ＧＵＩエレメントが、起動されると、前記分析器の機能の実行をトリガーするように構成され、前記機能の実行は、前記分析器による物理的な動作の実行を含むことを特徴とし、
ｂ．２）そうでない場合は、
前記ユーザが起動可能なＰＳ ＧＵＩエレメントの表示を禁止する（１０５）か、または前記機能を示す、起動不可能なＰＳ ＧＵＩエレメント（３２２．１、３２３．１、３２０．２、３２１．２、５０１、６０１）を表示することを特徴とするコンピュータを利用する方法。
【請求項２】
前記第１データ入力端末の位置を記述する情報を取得する工程が、前記第１データ入力端末の端末ＩＤを取得する工程を含み、
前記判定工程ａ）が、
１つまたは２つ以上の端末ＩＤの前記分析器へのマッピングを含む設定（２０７）にアクセスするアクセス工程であって、ＩＤが前記分析器にマッピングされたそれぞれのデータ入力端末が、前記分析器の前記ＰＯ領域内にあることを特徴とする、アクセス工程と、
前記第１データ入力端末の位置が前記分析器の前記ＰＯ領域内にあるかを判定するために、取得された前記端末ＩＤが前記分析器にマッピングされたかを判定する工程とを備えることを特徴とする請求項１記載のコンピュータを利用する方法。
【請求項３】
前記第１データ入力端末の位置を記述する情報を取得する工程が、前記第１データ入力端末のＬＰＳ位置を取得する工程を備え、前記ＬＰＳ位置は、ローカルポジショニングシステム（ＬＰＳ）により判定された位置であり、
前記判定工程ａ）が、
前記分析器の位置に対する、前記第１データ入力端末のＬＰＳ位置の空間的距離を判定する工程と、
前記空間的距離が、前記ユーザが前記分析器と物理的なやりとりが可能な最大距離を特定する空間的距離の閾値を下回るかを判定する工程とを備えることを特徴とする請求項１記載のコンピュータを利用する方法。
【請求項４】
前記方法がさらに、
前記第１データ入力端末の端末タイプを示す、端末タイプＩＤを受信する工程、
機能ＩＤへの端末タイプＩＤのマッピングを評価する工程であって、それぞれの端末タイプＩＤが１つまたは２つ以上の機能のＩＤにマッピングされ、前記マッピングは、前記端末タイプＩＤにより表された前記端末タイプが、前記機能ＩＤが前記端末タイプＩＤへマッピングされた任意の機能をトリガー可能であることを示すことを特徴とする、マッピングを評価する工程とを備え、
前記第１データ入力端末の端末タイプが、前記機能をトリガーすることができないという結果として、前記評価が戻された場合に、工程ｂ．２）が実行され、前記工程ｂ．２）は、前記第１データ入力端末の位置が前記ＰＯ領域内であると判定された場合であっても実行されることを特徴とする請求項１〜３のいずれか１項に記載のコンピュータを利用する方法。
【請求項５】
前記方法がさらに、
前記第１データ入力端末により、ローカルポジショニングシステム（ＬＰＳ）で自身の位置を自動的に判定する工程と、
前記第１データ入力端末から前記分析器のコントロールユニット（２０５）へ判定されたＬＰＳ位置を送信する工程とを備える請求項１〜４のいずれか１項に記載のコンピュータを利用する方法。
【請求項６】
前記分析器が、１つまたは２つ以上の位置検出（ＰＳ）機能を実行できるように構成され、ＰＳ機能のそれぞれは、前記第１データ入力端末の位置が前記ＰＯ領域内にないと判定された場合に、その実行が禁止される機能であり、
前記分析器が、１つまたは２つ以上の位置非検出（ＰＩ）機能を実行するように構成され、ＰＩ機能のそれぞれは、前記ログインデータを受信する前記第１データ入力端末の現在の位置にかかわらず、その実行が許容される機能であり、
前記方法がさらに、
前記第１データ入力端末から、前記分析器の前記機能を実行するための要求を受信する工程と、
要求された機能が、ＰＳ機能のうちの１つまたはＰＩ機能のうちの１つであるかを判定する工程とを備え、
前記要求された機能が前記ＰＳ機能の１つである場合、工程ａ）および工程ｂ）を実行し、
前記要求された機能が前記ＰＩ機能の１つである場合、選択されると要求されたＰＩ機能をトリガーするように構成された、ユーザが起動可能なＧＵＩエレメントを表示し、実行されるこの表示が、取得された前記第１データ入力端末の位置が前記ＰＯ領域内にあると判断されるかどうかに無関係であることを特徴とする請求項１〜５のいずれか１項に記載のコンピュータを利用する方法。
【請求項７】
前記１つまたは２つ以上のＰＳ機能が、
前記分析器のハウジングを開放または閉鎖すること、前記分析器に消耗品を充填または再充填すること、前記分析器で実行される試料処理ワークフローを開始すること、前記分析器のドアをロックすること、前記分析器のドアのロックを解除すること、前記分析器に生体試料を搭載すること、および、前記分析器から生体試料を下ろすこと
からなる群から選択される請求項６記載のコンピュータを利用する方法。
【請求項８】
前記１つまたは２つ以上のＰＩ機能が、
前記分析器を始動すること、試料処理ワークフローを一時停止または停止すること、前記分析器をシャットダウンすること、前記分析器を休止状態にすること、前記分析器を立ち上げること、前記分析器により収集された測定データを、ＬＩＭＳまたは他のデータ入力端末に送ること、データ管理機能を実行すること、および試料処理工程を繰り返すこと
からなる群から選択される請求項６または７記載のコンピュータを利用する方法。
【請求項９】
前記方法がさらに、
工程ｂ．１）で表示された起動可能なＰＳ ＧＵＩエレメントが起動すると、前記第１データ入力端末により、その実行がトリガーされるべき機能を示す信号を受信する工程と、
前記第１データ入力端末から前記分析器のコントロールユニットに、前記分析器により実行されるべき機能を特定する要求を自動的に送信する工程と
を備えることを特徴とする請求項１〜８のいずれか１項に記載のコンピュータを利用する方法。
【請求項１０】
前記方法がさらに、
前記コントロールユニットによって、前記第１データ入力端末から前記要求を受信する工程と、
前記要求を受信すると、前記コントロールユニットによって、前記機能を実行するためのコマンドを前記分析器に送信する工程と、
前記コマンドに応じて、前記分析器により示された機能が実行される工程とを備えることを特徴とする請求項９記載のコンピュータを利用する方法。
【請求項１１】
前記方法がさらに、
前記第１データ入力端末のレンダリングユニット（ＲＵ）により、前記分析器のコントロールユニットから、ディスプレイを介してユーザに表示される１つまたは２つ以上のＧＵＩエレメントを特定するレンダリングコマンドを受信する工程と、
受信されたレンダリングコマンドに応じて、前記１つまたは２つ以上のＧＵＩエレメントを表示する工程とを備え、
前記レンダリングコマンドの特定が、工程ａ）の結果に依存することを特徴とする請求項１〜１０のいずれか１項に記載のコンピュータを利用する方法。
【請求項１２】
プロセッサにより実行されたときに、プロセッサに請求項１〜１１のいずれか１項に記載の工程を実行させる命令を含むコンピュータ読取可能な非一時的記憶媒体（２０４）。
【請求項１３】
１つまたは２つ以上の分析器と、少なくとも１つのコントロールユニットとを備えた分析システム（２０１、２２４、２１１）であって、
前記少なくとも１つのコントロールユニットが、
ディスプレイ（２０８、３０６〜３０８）を備えた第１データ入力端末（２０１、２１０、２１３、３０１〜３０３）から、ユーザ（２０９）のログインデータを受信する（１０１）ように構成され、前記ログインデータは、前記１つまたは２つ以上の分析器（２０２、２１２、３１５〜３１７）のうちの少なくとも１つにおいてユーザを認証し、
前記少なくとも１つのコントロールユニットが、
前記第１データ入力端末の位置を記述する情報を取得するように構成され、
ａ）前記第１データ入力端末の位置が、前記分析器の物理的操作（ＰＯ）領域（２２０〜２２３、３１３、３１４）内にあるかを判定し（１０３）、
ｂ．１）前記第１データ入力端末が前記ＰＯ領域内にあると判定された場合は、前記第１データ入力端末のディスプレイ上に、ユーザが起動可能な位置検出（ＰＳ）ＧＵＩエレメント（３２０．１、３２１．１、３２２．２、３２３．２、３２４．２、４０８）の表示（１０４）をトリガーし、前記起動可能なＰＳ ＧＵＩエレメントは、起動されると、１つの分析器の機能の実行をトリガーするように構成され、前記機能の実行は、前記分析器による物理的な動作を含み、
ｂ．２）そうでない場合は、前記ユーザが起動可能なＰＳ ＧＵＩエレメントの表示を禁止する（１０５）か、または前記機能を示す、起動不可能なＰＳ ＧＵＩエレメント（３２２．１、３２３．１、３２０．２、３２１．２、５０１、６０１）を表示することを特徴とする分析システム。
【請求項１４】
前記分析システムがさらに、
第１データ入力端末および前記第１データ入力端末のディスプレイを備え、前記ディスプレイが、前記ユーザが起動可能なＰＳ ＧＵＩエレメントおよび／または前記起動不可能なＰＳ ＧＵＩエレメントを表示するように構成され、
前記データ入力端末は、
自身の端末ＩＤおよび／またはローカルポジショニングシステム（ＬＰＳ）による、自身のＬＰＳ位置を自動的に判定し、
判定されたＬＰＳ位置および／または判定された端末ＩＤを、前記第１データ入力端末から前記分析器の前記コントロールユニットへ送信するように構成されていることを特徴とする請求項１３記載の分析システム。
【請求項１５】
前記分析システムがさらに、
それぞれディスプレイを含んだ１つまたは２つ以上の第２データ入力端末を備え、前記第１データ入力端末が前記少なくとも１つの分析器の前記ＰＯ領域内にあり、前記第２データ入力端末のうち少なくとも１つが、前記少なくとも１つの分析器のＰＯ領域内になく、  前記第１データ入力端末は、前記第１データ入力端末から前記ユーザからのログインデータを受信すると、前記起動可能なＰＳ ＧＵＩエレメントを表示するように構成され、前記受信に続いて工程ａ）および工程ｂ）が実行され、前記ログインデータは、少なくとも１つの分析器においてユーザを認証し、
前記第２データ入力端末は、前記第２データ入力端末のうち少なくとも１つから前記ユーザのログインデータを受信すると、前記起動不可能なＰＳ ＧＵＩエレメントを表示し、前記受信に続いて工程ａ）および工程ｂ）が実行され、前記ログインデータは少なくとも１つの分析器においてユーザを認証することを特徴とする請求項１３または１４記載の分析システム。
【発明の詳細な説明】
【技術分野】
【０００１】
本発明は、生体試料を分析する分析システムに関し、さらに詳しくは、データ入力端末によるユーザデータを受信する分析システムに関する。
【背景技術】
【０００２】
分析検査室における分析器の監視および制御は、特に、分析検査室が、複数の種類の試料に複数の異なる分析を並行して実行する複数の異なる分析器を有する場合は、高度に複雑化し、時としてエラーを生じやすい傾向にある。たとえば試薬または空の管などの消耗品は、再充填しなければならず、故障した分析器は修理しなければならず、渋滞して動かなくなった試料管は、他の分析器に割り当てられなければならない。試料は分析器に搭載され、分析器から積み下ろされ、様々な試薬と混合されなければならない場合等がある。多くの検査室では、全ての工程を完全に自動的に実行することができるとはかぎらない。したがって、たとえば、試薬の再充填など、手動で実行しなければならないいくつかのタスクがある可能性がある。一方、他のタスクは、グラフィカルユーザインターフェースのメニューコントロールにより、またはオペレータの明確な承認の後、自動的に実行される。
【０００３】
分析検査室の分析器は、ユーザが直接、分析器を監視および制御することを可能にするユーザインターフェース、典型的にはグラフィカルユーザインターフェースをそれぞれ備えていてもよい。しかし、それぞれの分析器にローカルに設けられたキーボードおよび他のデータ入力インターフェースを使用することは、非常に時間の無駄である。なぜなら、オペレータは、室内の異なるコーナー、場合によっては異なる部屋に位置する可能性のある分析器それぞれのところまで歩いて行く必要があるからである。このアプローチのさらなる不都合は、一度に１つの検査装置にしか着目できないため、検査室で同時に実行される全ての分析についての全体像を容易に見失ってしまう可能性がある。
【０００４】
たとえば、特許文献１や特許文献２に記載されているような他のアプローチは、複数の検査機器ワークステーションにより生み出されたスクリーンコンテントの共有をそれぞれ用いている。したがって、ユーザは、異なる機器ワークステーションのスクリーンコンテントの間で切り替えることにより、機器のそれぞれの完全な制御が可能である。
【先行技術文献】
【特許文献】
【０００５】
【特許文献１】欧州特許出願公開第２２４９２７２号明細書
【特許文献２】国際公開第２００６／０２００４２号
【発明の概要】
【発明が解決しようとする課題】
【０００６】
本発明の実施形態は、分析器の機能へのアクセス制御を提供する改善された方法および分析システムを提供することを目的とする。この目的は、独立請求項の特徴により解決される。好ましい実施形態は、従属請求項に記載されている。特に明確に述べない限り、本発明の実施形態は、互いに自由に組み合わせることができる。
【課題を解決するための手段】
【０００７】
本明細書において用いられる「データ入力端末」または「端末」とは、ディスプレイを備え、かつ、ユーザがログインデータを入力でき、および／または分析を実行する要求を特定することができるデータ入力手段を備えた、任意のデータ処理装置のことをいう。データ入力端末は、固定端末でもよいし、移動端末でもよい。固定のデータ入力端末は、たとえば、分析器により備えられたデータ入力手段、たとえば、キーボード、マウス、および／またはタッチスクリーンであってもよい。データ入力端末は、同様に、ネットワークを介して分析器に接続されたコンピュータ、ネットブックまたはノート型パソコンであってもよく、それにより、これらコンピュータ、ネットブックまたはノート型パソコンは、検査室内の特定な場所において常設されていてもよいし、移動端末ともなり得る。ログインデータを入力するグラフィカルユーザインターフェース（ＧＵＩ）は、データ入力端末で実行されるソフトウェアにより、検査室および／またはラボラトリ情報管理システム（ＬＩＭＳ）のミドルウェアにより提供されてもよい。
【０００８】
本明細書において用いられる「分析器」は、血液、尿、唾液またはたとえば組織試料など他の種類の試料のような生体試料に、１つまたは複数の分析を実行するように構成された装置を含む。分析器は、様々な化学的、生物学的、物理的、光学的または他の技術における手順により、試料またはその成分の測定値を判定するように構成されている。分析器は、試料の少なくとも１つの検体の測定値を得て、その得られた測定値を戻すように作動する。限定はされないが、分析器により戻される考えられる分析結果のリストとしては、試料内の検体濃度、試料内の検体の存在を示すバイナリ（イエスまたはノー）結果（検出レベルを超える濃度に対応）、光学的パラメータ、ＤＮＡまたはＲＮＡ配列、タンパク質または代謝物の質量分析により得られたデータ、たとえば組織試料から得られたイメージデータ、および様々な種類の物理的または化学的パラメータがあげられる。
【０００９】
「ログインデータ」は、１つまたは２つ以上の分析器においてユーザの認証を可能にする、ユーザにより端末に入力された任意のデータを含む。このログインデータは、ユーザネームと、パスワード、指紋のようなユーザのバイオメトリックデータ、たとえば個人のＩＤカード（「ＩＤバッチ」）に格納された個人ユーザ識別子、カードの表面に印刷された二次元コード（たとえばバーコード）にコード化された個人ユーザ識別子などを含んでいてもよい。本明細書で使用される「１つまたは２つ以上の分析器においてユーザを認証するログインデータ」という表現は、１つまたは２つ以上の分析器のいくつかの機能のトリガーを可能にするため、または、分析器に戻されたいくつかの測定値情報またはステータス情報を点検するために、このユーザがユーザ自身のログインデータを使用して、自身の身元を分析システムの１つまたは２つ以上の分析器に証明することを意味する。
【００１０】
「ディスプレイ」は、どのような種類の電子的ディスプレイ装置であってもよく、特に、コンピュータスクリーン、たとえばＴＦＴスクリーン、タッチスクリーンなどであってもよい。
【００１１】
本明細書で使用される「ＬＰＳ位置」は、ローカルポジショニングシステム（local positioning system）により判定された、エンティティの位置、たとえば端末の位置をいう。「ローカルポジショニングシステム」という用語は、その最も広い意味、すなわち、三角測量、三辺測量または多辺測量による、対象の位置を判定する、セルラー基地局、Ｗｉ−Ｆｉアクセスポイントなどのような一組の装置を使用する任意の測位システムと理解されるべきである。
【００１２】
「ＧＵＩエレメント」は、データオブジェクトであり、ディスプレイ装置により表示された場合に、その属性のいくつかが、そのオブジェクトの形状、レイアウトおよび／または動作を特定する。ＧＵＩエレメントは、ボタン、テキストボックス、タブ、アイコン、テキストフィールド、ウインドウ枠、チェックボックスアイテムまたはアイテムグループなどのような、標準的なＧＵＩエレメントであり得る。ＧＵＩエレメントは同様に、イメージ、英数字またはそれらの組み合わせであり得る。ＧＵＩエレメントは、たとえば「ＰＳ ＧＵＩエレメント」の形で実行されてもよい。
【００１３】
本明細書において使用される「位置検出（ＰＳ）ＧＵＩエレメント（position sensitive GUI element）」は、分析器の一機能を表すＧＵＩエレメントであり、この機能は、この機能が実行されるときに、分析器により実行される物理的動作を含んでいる。ＰＳ ＧＵＩエレメントは、位置検出ＧＵＩエレメント、すなわち、ユーザのログインデータを受信したデータ入力端末の、分析器に対する位置に応じて起動可能なＧＵＩエレメントであり、この端末は、このＰＳ ＧＵＩエレメントを表示するディスプレイを備えている。ＰＳ ＧＵＩエレメントを起動可能とすることは、複数の異なる基準に応じてもよいが、少なくとも１つの基準は、端末と分析器との間の距離である。この起動可能とすることに加えて、ＰＳ ＧＵＩエレメントのレイアウト関連の特性は、ＰＳ ＧＵＩエレメントなどの、前述の距離、たとえばその色、形状、視認性、大きさによって決定してもよい。
【００１４】
本明細書で用いられる「物理的動作（physical action）」は、分析器により物理的に実行されるどのような動作でもよく、この動作は、試料、消耗品、試料管または分析器の部品の移動を含む。物理的動作は、分析器のドアを開放すること、試料の分析器への搭載または分析器からの積み下ろし、分析器内での試料または消耗品の移送、試料と試薬を互いに混合することなどであってもよい。実施形態によると、分析器のドアを開放することは、ドアの戸を分析器により自動的に開放することや、または分析器により、分析器のドアのロックを自動的に解除することにより、ユーザがドアを手動で開けることができるようにすることであってもよい。このような物理的動作の開始は、ユーザにより適切な管理がされていない場合、害を加える可能性がある。加えられる可能性のある害は、たとえば、ハードウェアの損傷、試料または機器の汚染または人の負傷または汚染である。
【００１５】
本明細書で用いられる「物理的操作領域（ＰＯ領域）」は、ユーザが分析器と物理的なやりとりができる分析器周囲の任意の領域、または分析器を視覚的に監視できる分析器周囲の任意の領域をいう。好ましい実施形態によると、分析器周囲のこの領域の境界は、分析器から２ｍよりも離れていない。したがって、ＰＯ領域内に位置する端末にログインデータを入力する人は、分析器と物理的なやりとりが可能であり、たとえば、分析器のドア開放機能をトリガーする前に、分析器のドアの前の領域から障害物を取り除くことができ、または、分析器の物理的動作をトリガーする前に取り除くことが必要ないくつかの障害物が存在することを、視覚的に少なくとも判定することができる。他の実施形態によると、ＰＯ領域は、検査室内の領域、たとえば、分析器周囲の半径２ｍで特定される領域をカバーする大きさとして用いられている。この距離は、ユーザが分析器の現在のステータスを視覚的に監視することができ、必要であれば分析器へと迅速に移動できる。この実施形態によると、この領域は、円形であっても、矩形であっても、どのような他の多角形であってもよい。この領域は、分析器の中心を中心としてもよいし、たとえば消耗品を取り替えるなど、ユーザがいくつかの物理的な動作を実行するのに操作可能な分析器の一面に隣接する領域に限定してもよい。
【００１６】
本明細書において用いられる「分析器の機能へのアクセス制御」との規定は、分析器のいくつかの機能をトリガーすることを可能にする、または禁止することを意味する。このアクセスは、１つまたは２つ以上の基準に応じて可能または禁止することが可能であり、その基準の少なくとも１つは、分析器のＰＯ領域に対する第１データ入力端末の位置とすることができる。
【００１７】
一実施形態では、本発明は、分析器の機能へのアクセス制御を提供するコンピュータを利用する方法である。この方法は、
第１データ入力端末からユーザのログインデータを受信する受信工程であって、前記第１データ入力端末はディスプレイを備え、前記ログインデータは前記ユーザを認証し、前記ログインデータは、１つまたは２つ以上の分析器において直接的にユーザを認証可能、または、１つまたは２つ以上の分析器の機能へのアクセスを管理するように構成された、ＬＩＭＳまたはミドルウェアコンポーネントにおいてユーザを認証可能である、受信工程と、
前記第１データ入力端末の位置を記述する情報を取得する工程と、
ａ）第１データ入力端末の位置が、分析器の物理的操作（ＰＯ）領域内にあるかを判定する工程を備えている。いくつかの実施形態によると、この判定は、分析器を制御するように構成されたコントロールユニットにより実行され、
ｂ．１）第１データ入力端末が前記ＰＯ領域内にあると判定された場合は、第１データ入力端末のディスプレイ上に、ユーザが起動可能な位置検出（ＰＳ）ＧＵＩエレメントを表示する表示工程であって、前記起動可能なＰＳ ＧＵＩエレメントが、起動されると、前記分析器の機能の実行をトリガーするように構成され、前記機能の実行は、前記分析器による物理的な動作の実行を含む、表示工程と、
ｂ．２）そうでない場合は、前記ユーザが起動可能なＰＳ ＧＵＩエレメントの表示を禁止するか、または前記機能を示す、起動不可能なＰＳ ＧＵＩエレメントを表示する工程とを備えている。
【００１８】
この特徴は、様々な理由で有利である。この技術分野で公知のスクリーン切替システムは、ユーザに、複数の機器ワークステーションのそれぞれへの完全なアクセス制御を提供する。このユーザは、機器ワークステーションのそれぞれにより作り出された複数の異なるグラフィカルユーザインターフェース（ＧＵＩ）により、過度な負担が掛けられる可能性がある。さらに、他の部屋など、ユーザから遠く離れた位置にある機器ワークステーションのスクリーンへと切り換えるユーザは、機器または処理された生体試料を、物理的障害物または他の危険源により生じる危害から保護するための機器との物理的なやりとりや視覚的な検査をすることなく、このユーザが機器のうちの１つの機能の実行を遠隔でトリガーすることができる。たとえば、検査従事者が、機器の前にいくつかの生体試料を準備することが起こりうる。他の検査従事者が、そのドアが開放するように、またはロボットアームを動かすように機器を遠隔でトリガーする場合、準備された試料は、開放するドアやロボットアームにより、検査室の作業台から偶発的に拭い取られる可能性がある。また、誤って処理された試料が機器をブロックする場合、この機器を遠隔で制御する検査従事者は、これに気付く可能性がなく、ブロックされた機器内へ追加の試料を搭載することをトリガーする可能性もある。
【００１９】
したがって、本発明の実施形態は、ユーザが自身のログインデータをデータ入力端末にどこで入力したかを認識することにより、ユーザの現在位置を判定する。ユーザがログインしたデータ端末の位置は、ユーザの物理的位置を反映する。これに基づいて（すなわち、端末とユーザの共通の位置）、現在位置が、ログインユーザが分析器による（危険性のある）物理的な動作の実行をトリガーすることが可能であるように、特定の分析器に充分に近いかどうかが判定される。
【００２０】
分析器による危険性のある動作は、本明細書において、位置検出機能に関連して説明される。
【００２１】
ユーザの物理的な位置を判定するために、ユーザログインは、たとえば、キーボードによる手動ログインまたはユーザバッチを端末の読取器に示したりする、ユーザの物理的な存在を必要とするログインタイプをカバーする。
【００２２】
一般的なアクセス権にしたがって、分析器の特定の機能へのログインユーザのアクセスを許可または拒否するというよりは、分析器の機能への距離検出（distance-sensitive）アクセス制御が提供される。距離に基づくアクセス制御は、危険性のある機能の遠隔でのトリガーを防ぎ、ユーザが分析器と物理的なやりとりをできること、または少なくとも視覚的な監視をできることを確保するのに、分析器に充分に近い位置からの機能のトリガーを可能にしている。
【００２３】
第１データ入力端末の位置は、たとえば、地理的な位置、ローカルポジショニングシステム（ＬＰＳ）データ、所定の位置を割り当てた第１データ入力端末の識別子など、その第１データ入力端末の位置を示すどのような情報を含んでいてもよい。分析器は、１つまたは２つ以上の機能を実行するように構成されていてもよく、少なくとも１つの機能は、その実行の開始時または実行中にユーザによる監視が必要な、害を与える可能性のある機能であってもよい。ユーザのログインデータを受信した第１データ入力端末の位置を自動的に判定することにより、および、分析器のＰＯ領域内の端末を介して選択的に分析器の害を与える可能性のある機能の実行をトリガーするように構成された、ＧＵＩエレメントを表示することにより、本発明の実施形態は、そのコンテントが、端末（そしてユーザ）のそれぞれの位置に応じた端末位置検出（ゆえにユーザ位置検出）ＧＵＩを提供することができる。ログインユーザが分析器のＰＯ領域内の端末のところにいると判定されると、ＧＵＩは、分析器の危険な（critical）機能のいくつかの完全な制御を提供するＧＵＩエレメントを含むことができる。ログインユーザが、分析器のＰＯ領域内にはない端末のところにいると判定されると、このＧＵＩエレメントの表示がブロックされるか、または、ユーザがその危険な機能を実行することができないようにする他のＧＵＩエレメントが表示される。したがって、分析器の機能が、分析器の物理的操作位置内に位置しない人によってトリガーされることが禁止されるので、ユーザは分析器に害を与えることがない。
【００２４】
さらに、ユーザが遠隔でトリガーすることができない機能の表示を禁止することによって、無関係な情報によりユーザが過度な負担をかけられることがない。
【００２５】
さらなる有利な態様において、フルスクリーンコンテントの切り替えをベースとしたシステムと比較して、１つまたは２つ以上の分析器の機能についての、より細かなアクセス制御を提供することができる。なぜなら、アクセス制御は、フルスクリーンのレベルではなく、ＧＵＩエレメントのレベルで実行されればよいからである。これにより、起動可能（不可能）なＰＳ ＧＵＩエレメントに加え、複数の分析器から得られた集計された情報を含み得るメニューやウインドウを提供することができる。したがって、第１データ入力端末の現在の位置に応じて、個々の分析器の個々の機能へのアクセス制御を提供する、１つまたは２つ以上のＧＵＩエレメントと集計された情報とを組み合わせることができる。したがって、ユーザは、複数の分析器から集められた分析データについてのグローバルな集計ビューを提供され、それは、個々の分析器の特定の機能の実行がトリガーされるべきものであるか、ユーザが決定するうえでの補助となり得る。これはフルスクリーン切り替えを用いるシステムに基づくと不可能である。
【００２６】
実施形態によると、コントロールユニットは、第１データ入力端末によりログインデータが差し出された時間またはコントロールユニットによりログインデータを受信した時間を示す時間情報を受信する。代わりに、この時間情報は、分析器の機能の実行要求が第１データ入力端末により差し出された時間、または、コントロールユニットによりその要求が受信された時間を示すものであってもよい。コントロールユニットは、その時間情報を受信すると、分析器の特定の機能の使用が許される１つまたは２つ以上の時間間隔を特定したタイムテーブルを評価する。この評価されるタイムテーブルにしたがって、要求された機能が示された時間において実行の許可がされない場合、第１データ入力端末が分析器のＰＯ領域内にあると判定されたとしても、工程ｂ．２）が実行される。
【００２７】
さらなる実施形態によると、コントロールユニットは、たとえば設定ファイルから、ログインユーザのユーザプロフィールデータを受信する。このユーザプロフィールデータは、１つまたは２つ以上の分析器の１つまたは２つ以上の機能に関する、ユーザ特定アクセス許可および／またはグループ特定アクセス許可を含む。この許可のそれぞれは、ユーザが分析器の要求された機能をトリガーすることを許可されるかどうかを特定する。受信した許可が、ログインユーザが要求された機能をトリガーすることを許可しない場合、第１データ入力端末の位置がＰＯ領域内にあると判定された場合であっても、工程ｂ．２）が実行される。
【００２８】
この実施形態は、より細かく、ユーザに応じた、時間に応じた、および／またはユーザとグループに応じた、分析器の１つまたは２つ以上の機能のアクセス制御を提供することができるので、有利である。何らかの理由でＧＵＩエレメントにより示される機能をトリガーすることがユーザに許可されない場合、ＧＵＩエレメントのユーザへの表示を禁止することにより、ＧＵＩの複雑さを軽減することができる。
【００２９】
実施形態によると、実行工程ｂ．２）は、さらに、起動可能なＰＳ ＧＵＩエレメントを表示しない原因を表示する工程を含んでいてもよい。このような原因は、たとえば、ユーザ許可がないこと、第１端末がＰＯ領域にないこと、要求された機能が要求時に使用禁止であることなどであってよい。
【００３０】
いくつかの実施形態によると、実行工程ｂ．２）はさらに、ユーザが認証された分析器および／または機能を実行することを要求された分析器のＰＯ領域内の他のデータ入力端末を表示する工程を含む。この表示は、この端末の端末ＩＤまたはルームＩＤ、この端末の写真等の表示を含んでいてもよい。これは、特定の分析器による機能の実行をトリガーするために何をすべきかおよび／またはどこに行けばよいのかを、ユーザが直ちに知らされるので、有利である。
【００３１】
実施形態によると、第１データ入力端末の位置を記述する情報を取得する工程は、第１データ入力端末の端末ＩＤを取得する工程を含む。判定工程ａ）を実行することは、
１つまたは２つ以上の端末ＩＤの前記分析器へのマッピングを含む設定にアクセスするアクセス工程であって、ＩＤが前記分析器にマッピングされたそれぞれのデータ入力端末が、前記分析器のＰＯ領域内にあることを特徴とする、アクセスする工程と、
前記第１データ入力端末の位置が前記分析器のＰＯ領域内にあるかを判定するために、取得された前記端末ＩＤが前記分析器にマッピングされたかを判定する工程とを備えている。実施形態によると、この設定は、リレーショナルデータベース、テキストファイル等に格納されてもよい。
【００３２】
この実施形態は、ローカルポジショニングシステムをセットアップする必要がないので、特に実行が容易である。データ入力端末のそれぞれは、自身の端末ＩＤを判定する手段を備えていてもよい。このＩＤは、ユーザのログインデータとともにコントロールユニットへ差し出されてもよい。さらに、またはその代わりに、ログインデータを受け取ったデータ入力端末の端末ＩＤは、いずれかの分析器による機能の実行の要求とともに、その端末ＩＤを分析器のコントロールユニットに送信してもよい。実施形態により、マッピングは、バイナリファイル、テキストファイル、リレーショナルデータベース、ＸＭＬファイル等として、実行することができる。このマッピングは、分析システムのコントロールユニットによりアクセス可能なコンピュータ読取可能な記憶媒体に格納されてもよい。このマッピングは、端末ＩＤのそれぞれを、そのＰＯ領域がこの端末ＩＤにより識別された端末の所定の位置をカバーする１つまたは２つ以上の分析器に割り当てるので、端末ＩＤは、１つまたは２つ以上の分析器に対する端末の位置を示す。分析システムが多数の分析器および多数のデータ入力端末を備える場合、このマッピングはゆえに、分析器のそれぞれに対する端末のそれぞれの位置を示すことができる。したがって、このマッピングは、分析器のうちの１つの機能にアクセスするための入力されたユーザデータを受信する端末のどれか１つが、この機能を表すＧＵＩエレメントをユーザが起動可能なＰＳ ＧＵＩエレメントまたは起動不可能なＰＳ ＧＵＩエレメントの形態で表示するかを特定することができる。
【００３３】
他の実施形態によると、第１データ入力端末の位置を記述する情報を取得する工程は、第１データ入力端末のＬＰＳ位置を取得する工程を備える。このＬＰＳ位置は、ローカルポジショニングシステム（ＬＰＳ）により判定された位置である。判定工程ａ）を実行することは、
前記分析器の位置に対する、第１データ入力端末のＬＰＳ位置の空間的距離を判定する工程と、
前記空間的距離が、空間的距離の閾値を下回るかを判定する工程とを備えている。この空間的距離の閾値は、ユーザがなお分析器と物理的なやりとりが可能な、端末（そしてこの端末にデータを入力したユーザ）と分析器との間の最大距離を特定する。
【００３４】
実施形態によると、データ入力端末のそれぞれは、自動的にその自身の位置を判定するように構成されている。これは、取り囲むローカルポジショニングシステムの１つまたは２つ以上の他のコンピュータおよび／または基地局とのデータ交換に基づいていてもよい。判定された位置は、端末のＬＰＳ位置とすることができる。データ入力端末のそれぞれはさらに、その判定されたＬＰＳ位置をコントロールユニットに送信するように構成されている。
【００３５】
この特徴は有利であり、なぜなら、データ入力端末およびユーザの位置を、動的に、かつ非常に正確に判定できるからである。この特徴はまた、検査室内での位置が動的に変わる携帯電話またはネットブックのような、移動データ入力端末を使用することを可能にする。
【００３６】
実施形態によると、データ入力端末は、たとえば、データ入力端末に実行され、定期的にデータ入力端末の現在位置を判定するルーチンなどにより、繰り返し自身の位置を自動的に判定するように構成されている。これは特に、データ入力端末が、たとえば携帯電話のような移動データ入力端末の場合になされる。このデータ入力端末は、繰り返しの中でそれぞれ判定されたそのＬＰＳ位置を、このＬＰＳ位置を受信する毎に工程ａ）およびｂ）が実行されるコントロールユニットに送るようにしてもよい。送信されたＬＰＳ位置それぞれに応答してコントロールユニットから受信したいくつかのレンダリングコマンドに応じて、データ入力端末およびその中に示されたＰＳ ＧＵＩエレメントの表示は更新される。
【００３７】
したがって、検査室の１つのコーナーから他に移動し、たとえばデータ入力端末として携帯電話を使用するオペレータは、機能を実行するためにこのユーザがログインし、および／または選択した分析器に対して、このユーザの現在位置に応じて、様々なＧＵＩエレメントを含むメニューを表示されてもよい。
【００３８】
実施形態により、コントロールユニットは、分析器の一部であってもよいし、１つまたは２つ以上の分析器に連結された、分離したコントローラ処理装置で実行されてもよい。コントロールユニットは、１つまたは２つ以上の分析器のそれぞれの機能の実行を制御するように構成してもよい。
【００３９】
実施形態によると、この方法はさらに、
前記第１データ入力端末の端末タイプを示す、端末タイプＩＤを受信する工程、
機能ＩＤへの端末タイプＩＤのマッピングを評価する工程であって、それぞれの端末タイプＩＤが１つまたは２つ以上の機能のＩＤにマッピングされ、前記マッピングは、前記端末タイプＩＤにより表された前記端末タイプが、その機能ＩＤが前記端末タイプＩＤへマッピングされた任意の機能をトリガー可能であることを示すことを特徴とする、評価する工程と、
前記第１データ入力端末の端末タイプが、前記機能をトリガーすることができないという結果として、前記評価が戻された場合、工程ｂ．２）を実行する工程であって、前記工程ｂ．２）は、前記第１データ入力端末の位置が前記ＰＯ領域内であると判定された場合であっても実行されることを特徴とする、工程ｂ．２）を実行する工程とを備えている。
【００４０】
この特徴は、誤った分析要求の入力に対して保護することができ、分析器または分析された試料に害を与える可能性がある機能を実行するための要求に対して保護することができるため、有利である。実施形態により、端末タイプＩＤの機能ＩＤへのマッピングは、バイナリファイル、テキストファイル、リレーショナルデータベース、ＸＭＬファイル等として実行可能である。このマッピングは、分析システムのコントロールユニットによりアクセス可能なコンピュータ読取可能な記憶媒体に格納することができる。この端末タイプＩＤのマッピングは、端末ＩＤのマッピングおよび分析器と同じ場所または異なる場所に格納されてもよい。
【００４１】
実施形態によると、分析器の１つまたは２つ以上の機能は、たとえば携帯電話のような移動データ入力端末によるトリガーを禁止することができる。移動データ入力端末のディスプレイの空間は、大抵非常に限られているので、特定の機能が実行されるべきかを判定するために要求される情報の全てを、そのような移動データ入力端末のスクリーン上に表示することができるとはかぎらない。したがって、移動データ入力端末のユーザが分析器の機能のいくつかをトリガーすることができないようにすることは、分析システムの安全性を向上させることができる。
【００４２】
実施形態によると、分析器は、１つまたは２つ以上の位置検出機能（ＰＳ機能）を実行できるように構成され、「位置検出」は、ユーザからユーザデータを受信するデータ入力端末の、分析器に対する位置に依存してこの機能を実行するために分析器をユーザがトリガーすることを許容または防ぐことを意味する。このユーザデータは、たとえば、ログインデータであってよい。ＰＳ機能のそれぞれは、第１データ入力端末の位置が、分析器のＰＯ領域内にないと判定された場合に、その実行が禁止される機能である。ＰＳ ＧＵＩエレメントにより表されるこの機能は、ＰＳ機能のうちの１つであってもよい。分析器は、１つまたは２つ以上の位置非検出（ＰＩ）機能を実行するように構成され、「位置非検出（position insensitive）」は、ユーザからユーザデータを受信するデータ入力端末の、分析器に対する位置にかかわらず、機能を実行するために分析器をユーザがトリガーすることを許容または防ぐことを意味する。ＰＩ機能のそれぞれは、その実行が、ログインデータを受信する、または分析器により機能を実行するための要求の仕様を受信する第１データ入力端末の現在の位置にかかわらず許容される機能である。
【００４３】
この方法はさらに、前記第１データ入力端末から、分析器の機能を実行するための要求を受信する工程、要求された機能がＰＳ機能のうちの１つまたはＰＩ機能のうちの１つであるかを判定する工程、前記要求された機能がＰＳ機能の１つである場合、工程ａ）および工程ｂ）を実行する工程、および、前記要求された機能がＰＩ機能の１つである場合、起動されると要求されたＰＩ機能をトリガーするように構成されたユーザが起動可能なＧＵＩエレメントを表示する工程を備え、実行されるべき前記表示する工程が、取得された前記第１データ入力端末の位置がＰＯ領域内にあると判断されるかどうかに無関係であることを特徴とする。この特徴は、遠隔により安全にトリガーされ得る、すなわち、分析器または試料に害を与えるリスクを生じることなく、分析器の少なくともいくつかの機能を遠隔で制御する手段をユーザに提供することができるので、有利である。
【００４４】
実施形態によると、ユーザが起動可能なＰＳ ＧＵＩエレメントの起動は、このＰＳ ＧＵＩエレメントを選択するユーザにより、たとえばユーザが起動可能なＧＵＩエレメントをマウスでクリックすることにより、実行される。起動不可能なＧＵＩエレメントは、マウスのクリックにより選択することができず、したがって、ユーザにより起動することができない。
【００４５】
実施形態によると、ＰＳ機能のうちのいずれか１つは、分析器のハウジングを開放または閉鎖すること、分析器で実行される試料処理ワークフローを開始すること、分析器に消耗品を充填または再充填すること、分析器のドアをロックすること、分析器のドアのロックを解除すること、分析器に生体試料を搭載すること、または、分析器から生体試料を下ろすことであってよい。本明細書において用いられる消耗品は、１つまたは２つ以上の分析の実行中に消費され、または処分されるいずれの種目でもよく、たとえば、試薬、ピペット、ピペットチップ、試薬容器等であってよい。
【００４６】
いくつかの実施形態によると、ＰＩ機能のうちのいずれか１つは、分析器を始動すること、試料処理ワークフローを一時停止または停止すること、分析器をシャットダウンすること、分析器を休止状態にすること、分析器を立ち上げること、データ管理機能を実行すること、分析器により収集された測定データを、ＬＩＭＳまたは他のデータ入力端末に送ること、または試料処理工程を繰り返すことであってよい。データ管理機能は、測定データを検証するためのどのようなデータ処理機能であってもよく、たとえば、妥当性チェック、基準値との比較、または統計テストによる評価などであってもよい。データ管理機能は、同様に、たとえば、いくつかの表示された測定値を検査することによる妥当性チェックなど、ユーザが測定データを手動で検証するための、測定データの前処理および測定データをユーザに示す任意のデータ処理機能を含んでいてよい。実施形態によっては、データ管理機能は、分析器または分析器制御アプリケーションプログラムにより、または分析器の収集された測定データを受信するように動作可能なミドルウェアコンポーネントにより与えられたコンピュータに実装されたルーチンにより提供されてもよい。
【００４７】
実施形態によると、この方法はさらに、工程ｂ．１）で表示された起動可能なＰＳ ＧＵＩエレメントが起動すると、第１データ入力端末により信号を受信する工程を備えている。この信号は、実行がトリガーされるべき機能を示している。第１データ入力端末は、分析器のコントロールユニットに要求を自動的に送信し、この要求は分析器により実行されるべき機能を特定する。起動可能なＰＳ ＧＵＩエレメントの起動は、端末のディスプレイを介して、第１データ入力端末のユーザにより、起動可能なＰＳ ＧＵＩエレメントを選択することを含んでいてもよい。
【００４８】
実施形態によると、コントロールユニットは、第１データ入力端末から要求を受信する。そして、要求を受信すると、コントロールユニットはその機能を実行するためのコマンドを分析器に送信する。そのコマンドを受信した分析器は、そのコマンドに応じて示された機能を実行する。
【００４９】
実施形態によると、第１データ入力端末のレンダリングユニット（ＲＵ）は、分析器のコントロールユニットからレンダリングコマンドを受信する。このレンダリングコマンドは、第１データ入力端末のディスプレイを介してユーザに表示されるべき１つまたは２つ以上のＧＵＩエレメントを特定する。このＧＵＩエレメントの少なくともいくつかの特定は、工程ａ）の実行により取得された結果に依存する。ＧＵＩエレメントは、ボタン、テキスト、画像、ラジオボタングループ、ドロップダウンリスト、ポップアップウインドウなどであってよい。表示されたＧＵＩエレメントは、ログイン操作が成功した後、ユーザに表示されたメニューの一部であってよく、それにより、このＧＵＩエレメントの特性および／またはメニューの特性は、工程ａ）の実行結果に依存することができる。メニューは、ユーザに集合的に示される１つまたは２つ以上のＧＵＩエレメントの入れ物として機能する、ウインドウ、スクロールウインドウ枠、固定ウインドウ枠等の任意のＧＵＩコンポーネントである。ＧＵＩエレメントは起動可能とすることができ、起動されると分析器による機能の実行をトリガーするように構成することができ、それにより、この機能は分析器の物理的動作を含む。この場合、ＧＵＩエレメントは、ＰＳ ＧＵＩエレメントとして機能する。その代わりに、ＧＵＩエレメントはいくつかの測定結果を戻すような、分析器により実行される非物理的動作を表してもよく、または、たとえばそのステータスまたは分析された試料のいくつかの情報のような、分析器についてのいくつかの情報をユーザに表示してもよい。したがって、ＧＵＩエレメントは、たとえば、特定の分析器のステータス情報を含むテキストのような、純粋な情報ＧＵＩエレメントであってもよい。
【００５０】
このレンダリングコマンドは、１つまたは２つ以上のＧＵＩエレメントをレンダリングするコマンドを含んでいてもよい。このレンダリングユニットは、コントロールユニットから受信したコマンドをレンダリングする。そして、この１つまたは２つ以上のＧＵＩエレメントは、受信されたレンダリングコマンドに応じて表示される。この特徴は、そのコンテントが分析器の機能をトリガーする手段を含むＧＵＩが表示され、それにより、このコンテントが、ユーザのその分析器に対する現在位置に応じることができるので、有利である。ログイン操作は、１つの分析器においてユーザを認証するログイン操作であってよい。実施形態によると、分析システムは、複数の分析器を備えてもよく、そのログインデータは、この分析システムにおいてユーザを認証することができる。ユーザは、第１データ入力端末のディスプレイ上にＧＵＩエレメントを示されてもよく、これは、ユーザがこの分析システムの分析器のうちの１つを選択可能にする。さらに、ＧＵＩエレメントは、ユーザが選択された分析器の機能を選択および起動することを可能にする。分析器の１つを選択すること、または、ユーザのログインデータを受信することにより、選択された分析器に対して工程ａ）およびｂ）の実行をトリガーすることができる。
【００５１】
実施形態によっては、レンダリングコマンドは、分析器において、または分析システムの１つまたは２つ以上の分析器へのアクセスを管理するＬＩＭＳにおいて、ユーザの認証が成功した後、第１データ入力端末により受信されてもよい。１つまたは２つ以上の分析器におけるログインは、いくつかの実施形態にしたがって、ラボラトリ情報管理システム（ＬＩＭＳ）により、または１つまたは２つ以上の分析器を操作する、検査室のミドルウェアコンポーネントにより管理されてもよい。実施形態によると、複数の分析器（または分析器のクラスタ）は、分析システムの一部であってよい。分析システム、または分析システムに対するユーザアクセス権を管理するミドルウェアコンポーネントへのログインに成功したユーザは、分析器のサブセットにおいて認証されてもよい。このサブセットは、１つまたは２つ以上の分析器を備えていてもよい。
【００５２】
実施形態によると、第１データ入力端末にユーザデータが入力されない所定の期間の経過後、ユーザは自動的にログオフされ、そのデータ入力端末を介した起動可能なＰＳ ＧＵＩエレメントのユーザへの表示が禁止される。したがって、その機能の実行をトリガーしたユーザが既に分析器のＰＯ領域を立ち去っても、分析器により機能が実行されることが禁止される。
【００５３】
いくつかの他の実施形態によると、第１データ入力端末にユーザデータが入力されない所定の期間の経過後、分析器の機能へのユーザによるアクセスは禁止される。これは、分析器のロック機能、分析器を備えた分析システムのロック機能、または分析システムを制御するミドルウェアのロック機能により達成される。機能へのアクセスを禁止するこのようなロックは、位置検出機能に限定されてもよく、それにより、ロック後のユーザが、位置検出機能ではない機能をなお実行することができ、分析器または分析された試料に害を与えるリスクがない。
【００５４】
さらなる態様において、本発明は、プロセッサにより実行されたときに、上記で言及した実施形態のうちのいずれか１つにしたがった方法の工程をプロセッサに実行させる命令を含むコンピュータ読取可能な非一時的記憶媒体に関する。
【００５５】
さらなる態様において、本発明は、１つまたは２つ以上の分析器と、少なくとも１つのコントロールユニットとを備えた分析システムに関する。この少なくとも１つのコントロールユニットは、第１データ入力端末からユーザのログインデータを受信するように構成されている。この第１データ入力端末はディスプレイを備えている。このログインデータは、１つまたは２つ以上の分析器のうちの１つにおいて、ユーザを認証するために用いられる。このコントロールユニットはさらに、第１データ入力端末の位置を記述する情報を取得し、以下の工程を実行するように構成されている。この工程は、ａ）第１データ入力端末の位置が、１つの分析器の物理的操作ＰＯ領域内にあるかを判定する工程、ｂ．１）第１データ入力端末が前記ＰＯ領域内にあると判定された場合は、第１データ入力端末のディスプレイ上に、ユーザが起動可能な位置検出（ＰＳ）ＧＵＩエレメントの表示をトリガーする工程である。このユーザが起動可能なＰＳ ＧＵＩエレメントは、起動されると、１つの分析器の機能の実行をトリガーするように構成され、この機能の実行は、分析器による物理的な動作を含み、ｂ．２）そうでない場合は、前記ユーザが起動可能なＰＳ ＧＵＩエレメントの表示を禁止するか、または前記機能を示す、起動不可能なＰＳ ＧＵＩエレメントを表示する工程がなされる。
【００５６】
さらなる実施形態によると、分析システムはさらに、第１データ入力端末および端末のディスプレイを備えている。このディスプレイは、ユーザが起動可能なＰＳ ＧＵＩエレメントおよび／または起動不可能なＰＳ ＧＵＩエレメントを表示するように構成されている。データ入力端末は、それ自身の端末ＩＤを自動的に判定し、および／またはローカルポジショニングシステム（ＬＰＳ）により、データ入力端末の位置を判定するように構成されている。この判定された位置は、ＬＰＳ位置である。データ入力端末が自身のＬＰＳ位置を判定するように構成されている場合、その位置を判定するために、１つまたは２つ以上のコンピュータまたは基地局と相互操作が可能としてもよく、またはこの他のコンピュータまたは基地局からＬＰＳを受信するために相互操作が可能としてもよい。データ入力端末は、その後そのＬＰＳ位置および／または判定された端末ＩＤを分析器のコントロールユニットに送信する。
【００５７】
いくつかの実施形態によると、分析システムは、それぞれが前述した第１データ入力端末の実施形態と同じ特徴を備えた、１つまたは２つ以上のさらなるデータ入力端末を備えている。特に、さらなるデータ入力端末のそれぞれは、ディスプレイを備えている。第１データ入力端末は、少なくとも１つの前記分析器のＰＯ領域内にあってもよく、少なくとも１つのさらなるデータ入力端末は前記少なくとも１つの分析器のＰＯ領域内になくてもよい。実施形態によると、第１データ入力端末は、ユーザからのログインデータを第１データ入力端末から受信すると、起動可能なＰＳ ＧＵＩエレメントを表示するように構成され、受信に続いて工程ａ）および工程ｂ）が実行される。このログインデータは、少なくとも１つの分析器においてユーザを認証する。
【００５８】
少なくとも１つのさらなるデータ入力端末は、少なくとも１つのさらなるデータ入力端末からユーザのログインデータを受信すると、起動不可能なＰＳ ＧＵＩエレメントを表示するように構成されている。ログインデータを受信すると、工程ａ）および工程ｂ）が実行され、このログインデータは少なくとも１つの分析器においてユーザを認証するために使用される。したがって、少なくとも１つの分析器のＰＯ領域内にある第１端末においてユーザが自身のログインデータを入力する場合、このユーザは起動可能なＰＳ ＧＵＩエレメントを示され、ＰＯ領域内にない少なくとも１つのさらなるデータ入力端末にユーザが自身のログインデータを入力する場合、このユーザは起動不可能なＧＵＩエレメントを示される。
【００５９】
実施形態によると、データ入力端末は、分析器のうちの１つの一体的な部分である処理ユニット、分析器のうちの１つに動作可能に連結された分析器制御コンピュータ、携帯電話、またはネットワークを介してコントロールユニットに連結されたデスクトップコンピュータまたはノート型パソコンであってもよい。ネットワークは、たとえばインターネットまたはイントラネットであってよい。
【００６０】
実施形態によると、データ入力端末のそれぞれは、ユーザを識別するユーザ識別コンポーネントを備え、および／または、データ入力端末の端末ＩＤおよび／または現在位置を識別する位置識別コンポーネントを備えている。さらに、またはその代わりに、データ入力端末のそれぞれは、ログインデータおよび／または分析器の１つによる機能を実行するための要求を、コントロールユニットに送信するインターフェースコンポーネントを備え、この要求は、識別されたユーザのユーザ識別子を含み、端末ＩＤおよび／または現在位置を含む。
【００６１】
実施形態によると、この方法はさらに、コントロールユニットにより、分析器により機能を実行するためのユーザの要求を受信する工程を備え、この要求は第１データ入力端末から受け取られる。この要求は、要求された機能の表示、認証されたユーザのユーザＩＤ、第１データ入力端末の端末ＩＤ、および／またはこのデータ入力端末の位置を含んでいてもよい。この要求は、端末タイプＩＤを含んでいてもよい。要求を受信すると、コントロールユニットは、第１データ入力端末の位置を記述する情報を取得し、工程ａ）および工程ｂ）の実行を繰り返し、それにより、起動可能なＰＳ ＧＵＩエレメントおよび起動不可能なＰＳ ＧＵＩエレメントは要求された機能を表す。本明細書において使用される「工程ａ）およびｂ）の実行」という表現は、工程ａ）の結果に応じて、工程ａ）および工程ｂ．１）を実行すること、または工程ａ）および工程ｂ．２）を実行することを意味する。
【００６２】
実施形態によると、第１データ入力端末は、分析器によりこの機能を実行するための要求の仕様を受信する。この要求は、第１データ入力端末によりコントロールユニットに送信される。コントロールユニットは、工程ａ）の実行時に、要求に含まれたデータを評価する。コントロールユニットは、工程ａ）の結果に応じてレンダリングコマンドを生成し、第１データ入力端末へとレンダリングコマンドを送信する。第１データ入力端末の位置が分析器のＰＯ領域内にあると判定された場合、コントロールユニットは、第１データ入力端末に第１レンダリングコマンドを送信し、この第１レンダリングコマンドは、ＰＳ ＧＵＩエレメントを起動することによりトリガーされる分析器の機能を表すユーザが起動可能なＰＳ ＧＵＩエレメントを、この端末に表示させる。第１データ入力端末の位置が分析器のＰＯ領域内にないと判定された場合、コントロールユニットは、第１データ入力端末に第２レンダリングコマンドを送信し、この第２レンダリングコマンドは、この機能を表す起動不可能なＰＳ ＧＵＩエレメントをその端末に表示させる。いくつかの実施形態によると、その端末がＰＯ領域内にない場合、第１レンダリングコマンドも第２レンダリングコマンドも送信されない。第１データ入力端末が第１レンダリングコマンドを受信した場合、それはそのディスプレイ上に、ユーザが起動可能なＰＳ ＧＵＩエレメントを表示する。その端末によって、第２レンダリングコマンドが受信された場合、または第１レンダリングコマンドも第２レンダリングコマンドも受信されなかった場合、ユーザが起動可能なＰＳ ＧＵＩエレメントの表示は禁止されるか、または起動不可能なＰＳ ＧＵＩエレメントが表示される。
【００６３】
いくつかの実施形態によると、起動不可能なＰＳ ＧＵＩエレメントはさらに、もう１つ他のデータ入力端末の表示を含む。この他のデータ入力端末は、ユーザが認証された、および／またはユーザが機能の実行を要求した分析器のＰＯ領域内にある。この表示は、さらなるＧＵＩエレメント、たとえばポップアップダイアログウインドウ、またはツールチップダイアログウインドウなどであってもよい。したがって、ユーザは、第１データ入力端末から自身がアクセスできない、要求された機能性の実行を許可された端末を通知される。
【００６４】
以下、図面を参照して、実施例により本発明の実施形態をより詳細に説明する。
【図面の簡単な説明】
【００６５】
【図１】本発明の一実施形態による分析システムにより実行される方法を示す。
【図２】分析システムの異なる実施形態を示す。
【図３】３つの端末およびそれらそれぞれのディスプレイを備えた分析システムを示す。
【図４】ディスプレイ３０６によりユーザに示される、分析器３１５を監視および制御する複数のＧＵＩエレメントを備えたメニューを示す。
【図５】ディスプレイ３０７または３０８によりユーザに示されるメニューの変更バージョンを示す。
【図６】１つの起動可能なＰＳ ＧＵＩエレメントおよび２つの起動不可能なＰＳ ＧＵＩエレメントを示す。
【発明を実施するための形態】
【００６６】
図面内の同様の番号が付された要素は、同等の要素または同じ機能を果たすものである。前に説明した要素は、機能が同等である場合、後の図面において必ずしも説明しない。
【００６７】
図１は、たとえば図２（ａ）、図２（ｂ）、図２（ｃ）または図３に示される分析システムの実施形態により実行される方法を示している。工程１０１において、コントロールユニット２０５はユーザ２０９からログインデータを受信し、このログインデータは、たとえばスクリーン２０８またはキーボードを介して、第１データ入力端末２０１、２１０、２１３、３０１〜３０３に入力される。この受信されたログインデータは、分析システム２０１、２２４、２１１、３００に属する１つまたは２つ以上の分析器においてユーザを認証するために用いられる。工程１０２において、コントロールユニットは、ログインデータが受信された第１データ入力端末の位置を記述する情報を取得する。工程１０３において、コントロールユニット２０５は、第１データ入力端末の位置が、分析器２０２のＰＯ領域２２０内にあるかどうかを判定する。分析器２０２のＰＯ領域は、図２（ａ）においてドットの長方形２２０により、図２（ｂ）において長方形２２１により、図２（ｃ）において長方形２２２により示されている。分析器２１２のＰＯ領域は、図２（ｃ）におけるドットの長方形２２３により示されている。工程１０３において第１データ入力端末の位置が特定の分析器のＰＯ領域内にあると判定された場合、工程１０４が実行され、ユーザが起動可能なＰＳ ＧＵＩエレメントが、ログインデータを受信した、または分析器の機能を実行するためのユーザの要求を受信した第１データ入力端末のディスプレイ上に表示される。表示された起動可能なＰＳ ＧＵＩエレメントは、ユーザにより起動されると、分析器の機能のうちの１つの実行をトリガーするように構成されている。第１データ入力端末の位置が分析器のＰＯ領域内にないと判定された場合、工程１０５が実行される。工程１０５は、ユーザが起動可能なＰＳ ＧＵＩエレメントの表示を禁止する工程、またはユーザにより遠隔でトリガーできない機能を記述する、ユーザが起動不可能なＰＳ ＧＵＩエレメントを表示する工程を備えている。
【００６８】
図２は、分析システムの様々な実施形態を示している。図２（ａ）は、分析器２０２、プロセッサ２０３および記憶媒体２０４に格納された複数の機能的モジュールを備えた分析システム２０１を示している。全てのコンポーネントは単一のハウジング内に収容されている。ユーザ２０９は、ディスプレイ２０８．１を介して自身のログインデータを入力することができる。したがって、分析システム２０１は、分析器により提供された機能と組み合わせてデータ入力端末の機能を提供する。ディスプレイ２０８．１は分析器２０２のＰＯ領域２２０内にあるので、起動可能なＰＳ ＧＵＩエレメントがユーザにディスプレイ上で表示される。ログインデータを入力する入力手段または要求を入力する入力手段と、分析システム２０１のディスプレイとのどのような組み合わせも、この場合端末として機能することができる。媒体２０４上のモジュールは、位置判定（ＰＤＵ）モジュール２１９を備えていてもよい。このＰＤＵモジュールは、端末の位置を記述する端末ＩＤを判定するように、および／またはたとえばＬＰＳ位置として、端末の位置を直接的に判定するように構成されていてもよい。
【００６９】
このシステムはさらに、データ入力端末の位置に応じて、ディスプレイ２０８．１を介してユーザ２０９にＧＵＩエレメントが表示されるか、そしてどの種類のＧＵＩエレメントが表示されるかを判定するように構成されたコントロールユニット２０５を備えている。レンダリングユニット２０６は、コントロールユニット２０５からレンダリングコマンドを受信するように構成され、スクリーン２０８．１上に１つまたは２つ以上のＧＵＩエレメントを表示するためのレンダリングコマンドにしたがって、１つまたは２つ以上のＧＵＩエレメントをレンダリングおよび表示するように構成されている。設定２０７は、機能ＩＤおよび端末タイプＩＤのマッピングを含んでいてもよい。この設定はさらに、またはこれに代えて、分析器２０２の１つまたは２つ以上の特定された機能が実行できる期間を特定するタイムテーブル、および／またはいくつかのユーザプロフィールを含んでいてもよい。１つまたは２つ以上のＧＵＩエレメントが、データ入力端末の位置にしたがって表示されるべきか、若しくはそうでないか、または、たとえば許可がされていないなどの他の理由、若しくは特定の期間要求された機能が禁止されているなどにより表示されるべきではないかを判定するために、コントロールユニット２０５は設定２０７にアクセスしてもよい。
【００７０】
図２（ｂ）は、ネットワークを介して分析器２０２がデータ入力端末２１０に接続された分析システム２２４の実施形態を示している。分析器２０２のＰＯ領域２２１は、ドットの長方形により示されている。
【００７１】
図２（ｃ）は、それぞれがデータ入力端末２１０、２１３に接続された２つの分析器２０２、２１２を備えた分析システム２１１が示されている。このシステムはさらに、コントロールユニット２０５および設定２０７を備えた中央演算システム２１８を備えている。データ入力端末はそれぞれ、それぞれの記憶媒体２０４、２１５にレンダリングユニット２０６、２１７をそれぞれ備え、ディスプレイ２０８．２、２０８．３も備えている。それらは、それぞれＰＤＵモジュール（図示せず）を備えていてもよい。分析システム２１１のディスプレイ２０８．２、２０８．３のいずれか１つにユーザにより入力された任意のログインデータ、および分析器２０２、２１２のうちの１つの機能を、その分析器によって実行するための任意の要求は、中央演算システム２１８のコントロールユニット２０５へと、それぞれのデータ入力端末により差し出される。このコントロールユニットは、ログインデータまたは分析器のうちの１つの機能を実行するための要求を評価し、そしてこのログインデータまたは要求を差し出したデータ入力端末の位置を評価する。ユーザがログインした、または機能の実行が要求された分析器に対する端末の位置に応じて、コントロールユニット２０５はレンダリングコマンドを生成し、レンダリングコマンドを、ログインデータまたは機能の要求を送った端末のレンダリングユニット２０６、２１７へと送信する。端末と分析器とのこの組み合わせ２２５は、たとえば、端末として機能する分析器制御コンピュータ２１０とそれぞれ制御された分析器２０２との組み合わせにより実施してもよい。分析器２１２と端末として機能する分析器制御コンピュータ２１３との組み合わせも同様である。従来技術の分析システムとは逆に、端末のそれぞれは、その対応する分析器を制御するためだけでなく、もう１つの分析器の少なくともいくつかのＰＩ機能を制御するためにも使用することができる。このＰＩ機能は、優先的には、たとえ遠隔で実行されたとしても、分析器または分析された試料に害を生じることがない「無害」機能である。たとえば、端末２１０により与えられた入力手段を介して、ログインしたユーザ２０９は、まだ分析器２１２のいくつかの（無害な）機能を監視および実行することができ、一方、遠隔で実行されたときに害を与える可能性のある他の機能は、スクリーン２０８．３にだけ表示可能であり、ディスプレイ２０８．２には表示されない。
【００７２】
図３は、３つの端末３０１〜３０３およびそれらそれぞれのディスプレイ３０６〜３０８を備えた分析システム３００を示している。端末３０１は、分析器３１５のＰＯ領域３１３内にあるが、分析器３１６のＰＯ領域３１４の外側にある。端末３０２は分析器３１６のＰＯ領域３１４内にあるが、分析器３１５のＰＯ領域３１３の外側にある。端末３０３は分析器３１５、３１６のＰＯ領域３１３、３１４内にはない。これは、たとえば検査室のＬＩＭＳを介して、分析システムに接続されたどのようなコンピュータでもよい。
【００７３】
分析システム３００は、１つの中央コントロールユニット２０５を備えた１つの中央制御コンピュータシステム３０４を備えている。分析器、端末および制御コンピュータは、互いにネットワーク３０５を介して接続されている。設定２０７は、コントロールユニット２０５によりアクセス可能なリレーショナルデータベースにより提供される。
【００７４】
ディスプレイ３０６、３０７、３０８を介して示されるＧＵＩエレメントが、図３の下部により詳細に示されている。
【００７５】
ユーザ２０９は自身のログインデータを入力しても、端末３０１により分析器のうちの１つの機能の実行を要求してもよい。ディスプレイ３０６は結果として、それぞれが分析器３１５のＰＳ機能またはＰＩ機能の実行をユーザがトリガーすることを可能にする、起動可能なＰＳ ＧＵＩエレメント３２０．１、３２１．１を表示する。さらに、それぞれが、自身の現在位置から分析器３１６のＰＳ機能またはＰＩ機能を遠隔でユーザがトリガーすることができないことを示す、ドットのボックスで示された起動不可能なＰＳ ＧＵＩエレメント３２２．１、３２３．１が表示される。これは、ユーザ２０９が現在分析器３１５のＰＯ領域３１３内にある端末３０１のところにいるが、分析器３１６のＰＯ領域３１４の外にいるからである。
【００７６】
ユーザ２０９’は自身のログインデータを入力しても、端末３０２により分析器のうちの１つの機能の実行を要求してもよい。ディスプレイ３０７は結果として、それぞれが分析器３１５のＰＳ機能またはＰＩ機能の実行をユーザがトリガーすることを禁止する、起動不可能なＰＳ ＧＵＩエレメント３２０．２、３２１．２を表示する。さらに、それぞれが、自身の現在位置から分析器３１６のＰＳ機能またはＰＩ機能をユーザがトリガー可能であることを示す、起動可能なＰＳ ＧＵＩエレメント３２２．２、３２３．２が表示される。これは、ユーザ２０９’が現在分析器３１６のＰＯ領域３１４内にある端末３０２のところにいるが、分析器３１５のＰＯ領域３１３の外にいるからである。分析器３１６の第３の機能は起動可能なＰＳ ＧＵＩエレメント３２４．２により示され、これはディスプレイ３０７にだけ表示され、遠隔のデータ入力端末のいずれにも表示されない。
【００７７】
ユーザ２０９”は自身のログインデータを入力しても、端末３０３により分析器のうちの１つの機能の実行を要求してもよい。ディスプレイ３０８は結果として、分析器３１５に関する起動不可能なＰＳ ＧＵＩエレメント３２０．２、３２１．２を表示し、分析器３１６に関する起動不可能なＰＳ ＧＵＩエレメント３２２．１、３２３．１を表示する。したがって、ユーザは遠隔の端末３０３から、起動不可能なＰＳ ＧＵＩエレメントにより表されたいずれの機能も実行することができない。
【００７８】
図４は、端末３０１においてユーザのログイン操作が成功した後、分析器３１５に関してディスプレイ３０６を介してユーザに表示される、ＧＵＩのメニュー４００を示している。このメニューは、異なるＧＵＩウインドウを選択するためのタブ４０１、４０２、４０３を備えている。現在選択されているウインドウのタブ４０２は、それぞれ分析器または部品、またはその分析器の消耗品を表す、いくつかのＧＵＩエレメント４０６、４０９を含んでいる。ＧＵＩエレメント４０６は、たとえば試料セル引き出しなど、分析器３１５の引き出しを表している。ＧＵＩエレメント４０６を選択すると、第１領域４１０および第２領域４１１を含むウインドウが表示される。第１領域は、４つのチップラックＡ、Ｂ、Ｄ、Ｅを表すＧＵＩエレメントを含んでいる。第２ウインドウ領域は、選択されたチップラックの１つのＣをより詳細に示している。満たされた試薬容器はボックス「Ｒ」で示され、満たされたコントロール容器は、ボックス「Ｃ」で示され、空のチップラック容器および試薬容器は空のボックスで示されている。分析器のコンポーネントに関する追加情報の表示のような、「無害」機能を表す、いくつかのＧＵＩエレメント４０７は、データ入力端末の位置にかかわらず、起動可能なＧＵＩエレメントとして表示される。判定工程１０３が、データ入力端末３０１が、そのコンポーネントがＧＵＩエレメント４０６により表される分析器３１５のいくつかのＰＯ領域内にあると判定されたので、他のＧＵＩエレメント、たとえば起動可能なＰＳ ＧＵＩエレメント４０８が表示される。
【００７９】
図５は、分析器３１５の引き出しのいくつかの機能を制御するためのメニューを示し、これにより、このメニューのＧＵＩエレメントは、ディスプレイ３０７を介してユーザ２０９’に表示されるこれらのＧＵＩエレメントを含んでいる。このＧＵＩエレメントは、少なくとも、起動可能なＰＳ ＧＵＩエレメント４０８の代わりに、起動不可能なＰＳ ＧＵＩエレメントが示され、遠隔で分析器３１５の引き出しのドアの開放をトリガーすることが許可されていないことをユーザに知らせるという点において、ディスプレイ３０７を介してユーザ２０９に表示されるＧＵＩエレメントとは異なる。
【００８０】
図６は、もう１つの実施形態による、起動不可能なＰＳ ＧＵＩエレメントを示しており、それにより、ウインドウ６０２を介して、ユーザは、ＧＵＩエレメント６０２により表された機能をトリガーすることをユーザが許可されていないことを知らされる。このウインドウはさらに、その機能をトリガーすることが許可されていないことについての原因の表示を含んでいてもよく、これはたとえば、その機能を実行する分析器に対して、遠隔の端末にユーザがログインしたなどである。または、ユーザが必要な許可を欠いている、またはユーザが許容できない期間の間に機能を要求した場合であってもよい。さらに、ウインドウ６０２は、起動不可能なＰＳ ＧＵＩエレメントにより表された機能の実行をトリガーするために、ユーザが何をすべきか、および／またはどの端末へ行くべきかについてのヒントを含んでいてもよい。ウインドウ６０２は、たとえば、ＧＵＩエレメント６０１上に、マウスオーバーされたり、シングルクリックまたはダブルクリックされると表示される、ツールチップまたはポップアップウインドウとして実施されてもよい。
【符号の説明】
【００８１】
１０１、１０２、１０３、１０４、１０５  工程
２０５  コントロールユニット
２０９、２０９’、２０９”  ユーザ
２０８  スクリーン
２０１、２１０、２１３、３０１〜３０３  第１データ入力端末
２０１、２２４、２１１、３００  分析システム
２０２、２１２、３１５、３１６  分析器
２２０、２２１、２２２、３１３、３１４  ＰＯ領域
２０３  プロセッサ
２０４、２１５  記憶媒体
２０８．１、２０８．２、２０８．３、３０６〜３０８  ディスプレイ
２１９  ＰＤＵモジュール
２０６、２１７  レンダリングユニット
２０７  設定
２１８  中央演算システム
２１０  分析器制御コンピュータ
３０４  中央制御コンピュータシステム
３０５  ネットワーク
３２０．１、３２１．１、３２２．２、３２３．２、３２４．２  起動可能なＰＳ ＧＵＩエレメント
３２０．２、３２１．２,３２２．１、３２３．１  起動不可能なＰＳ ＧＵＩエレメント
４００  メニュー
４０１、４０２、４０３  タブ
４０６、４０７、４０８、４０９  ＧＵＩエレメント
４１０  第１領域
４１１  第２領域
６０２  ウインドウ
【図１】
2013183456.tif 000003
【図２】
2013183456.tif 000004
【図３】
2013183456.tif 000005
【図４】
2013183456.tif 000006
【図５】
2013183456.tif 000007
【図６】
2013183456.tif 000008
【外国語明細書】
2013183456000001.pdf
2013183456000002.pdf
2013183456000003.pdf
2013183456000004.pdf